(57)【要約】      （修正有）【課題】部品点数の減少、組み立て工程も減少することでコストの低減化を図ることができるキー形セレクタースイッチを提供する。【解決手段】ローター８に装着される第１〜第３タンブラー１２〜１４は、一端に大形突出部１６、他端に大形突出部より小さな形状の小形突出部１７が形成されている。ローターケース７の内周面に、キー９の抜き差し動作によりタンブラー穴を摺動するタンブラーの大形突出部及び小形突出部が進入可能な複数の大形逃げ溝１８〜２１が形成されているとともに、タンブラーの小形突出部が進入可能であり、大形突出部は進入不可能とする複数の小形逃げ溝２２、２３が形成されている。【選択図】図８
2018041641.tif 000002
【特許請求の範囲】
【請求項１】
円筒形状のカバーと、
前記カバーの内部に所定の向きで固定される円筒形状のローターケースと、
前記ローターケースに回動可能に収納され、キーが差し込まれるキー挿入穴及び当該キー挿入穴に直交して軸方向に並んだ複数のタンブラー穴が形成されている円柱形状のローターと、
前記ローターの前記複数のタンブラー穴に一方向にばね付勢されて摺動可能にそれぞれ挿入されている板状の複数のタンブラーと、を備え、
前記タンブラーは、一端に大形突出部、他端に前記大形突出部より小さな形状の小形突出部が形成されており、
前記ローターケースの内周面の所定位置に、前記キーの抜き差し動作により前記タンブラー穴を摺動する前記タンブラーの前記大形突出部及び前記小形突出部が進入可能な複数の大形逃げ溝と、前記タンブラーの前記小形突出部が進入可能であり、前記大形突出部は進入不可能とする複数の小形逃げ溝と、が形成されており、
前記大形逃げ溝と前記小形逃げ溝の組み合わせにより、前記キーの抜け位置を定めたことを特徴とするキー形セレクタースイッチ。
【請求項２】
前記キー挿入穴から前記キーを外せる位置では、前記タンブラーの前記大形突出部が前記ローターケースの所定の前記大形逃げ溝に対向し、且つ前記タンブラーの前記小形突出部が、前記ローターケースの所定の前記大形逃げ溝及び前記小形逃げ溝の一方に対向しており、
前記キー挿入穴から前記キーが外せない位置では、前記タンブラーの前記大形突出部が、前記ローターケースの所定の前記小形逃げ溝に対向し、或いは、前記タンブラーの前記大形突出部及び前記小形突出部が、前記ローターケースの前記大形逃げ溝及び前記小形逃げ溝が形成されていない前記内周面に対向していることを特徴とする請求項１に記載のキー形セレクタースイッチ。
【請求項３】
前記タンブラーの一端に形成した前記大形突出部は幅広突出部であり、前記タンブラーの他端に形成した前記小形突出部は幅狭突出部であり、
前記ローターケースの内周面に形成した前記大形逃げ溝は幅広逃げ溝であり、前記ローターケースの内周面に形成した前記小形逃げ溝は幅狭逃げ溝であることを特徴とする請求項１又は２に記載のキー形セレクタースイッチ。
【請求項４】
前記複数の逃げ溝のうち一つがローターケースを貫通していることを特徴とする請求項１乃至３の何れか１項に記載のキー形セレクタースイッチ。
【請求項５】
連結する接点ユニットのノッチ数を３、前記キーの捻回角度範囲を９０°とし、
前記幅広逃げ溝を、前記ローターケースの内周面に４５°のピッチ間隔で形成した第１〜第３幅広逃げ溝と、前記第１幅広逃げ溝から１８０°のピッチで形成した第４幅広逃げ溝とし、
前記幅狭逃げ溝を、前記第４幅広逃げ溝から４５°のピッチ間隔で形成した第１〜第２幅狭逃げ溝とすることを特徴とする請求項３に記載のキー形セレクタースイッチ。
【請求項６】
前記ローターケースの外周面に４５°のピッチ間隔で８個の固定用凹部が形成され、
前記カバーの内周面に前記固定用凹部に嵌合可能な複数の固定用凸部が形成されており、
前記ローターの前記キーが外せる位置及び前記キーが外せない位置が所定の位置となるように前記ローターケースの周方向の向きを設定した状態で、前記ローターケースの前記固定用凹部を前記カバーの前記固定用凸部に嵌合することを特徴とする請求項１乃至５の何れか１項に記載のキー形セレクタースイッチ。
【発明の詳細な説明】
【技術分野】
【０００１】
本発明は、キー操作により接点ユニットの開閉状態を切り替えるキー形セレクタースイッチに関する。
【背景技術】
【０００２】
機器制御用のコマンドスイッチとして、連結ユニットを介して接点ユニットに接続され、キー操作により接点ユニットの開閉状態を切り替えるキー形セレクタースイッチが多用されている。
キー形セレクタースイッチは、例えば特許文献１に示すように、キー位置に対応して内周面に複数の溝が形成されている円筒形状のローターケースと、ローターケースに回動可能に収納され、キーが差し込まれるキー挿入穴及びキー挿入穴に直交する軸方向に複数のタンブラー穴が形成されている円柱形状のローターと、ローターの複数のタンブラー穴に一方向にばね付勢されて摺動可能にそれぞれ挿入され、ローターケースの溝に進入する複数のタンブラーと、を備えた装置である。そして、このキー形セレクタースイッチは、ローターケースの所定の溝に抜け止め板を装着してタンブラーの進入を妨げる位置を設けることで、ローターの指定された位置にキーが外せる位置、キーが外せない位置を設けている。
【先行技術文献】
【特許文献】
【０００３】
【特許文献１】特許第２００１４８４号公報
【発明の概要】
【発明が解決しようとする課題】
【０００４】
ところで、特許文献１のキー形セレクタースイッチは、タンブラーの進入を妨げるローターケースの溝に抜け止め板を装着しなければならない。このように、複数の抜け止め板を必要とするので、組み立て部品点数が増大するとともに、複数の抜け止め板を装着する作業があるので、組み立て工程が増えてしまい、製造コストが増大するおそれがある。
本発明は、部品点数の減少、組み立て工程も減少することでコストの低減化を図ることができるキー形セレクタースイッチを提供することを目的としている。
【課題を解決するための手段】
【０００５】
上記目的を達成するために、本発明の一態様に係るキー形セレクタースイッチは、円筒形状のカバーと、カバーの内部に所定の向きで固定される円筒形状のローターケースと、ローターケースに回動可能に収納され、キーが差し込まれるキー挿入穴及び当該キー挿入穴に直交して軸方向に並んだ複数のタンブラー穴が形成されている円柱形状のローターと、ローターの前記複数のタンブラー穴に一方向にばね付勢されて摺動可能にそれぞれ挿入されている板状の複数のタンブラーと、を備えている。そして、タンブラーは、一端に大形突出部、他端に前記大形突出部より小さな形状の小形突出部が形成されており、ローターケースの内周面の所定位置に、キーの抜き差し動作によりタンブラー穴を摺動するタンブラーの大形突出部及び小形突出部が進入可能な複数の大形逃げ溝と、タンブラーの小形突出部が進入可能であり、大形突出部は進入不可能とする複数の小形逃げ溝とが形成されている。そして、大形逃げ溝と小形逃げ溝の組み合わせにより、キーの抜け位置を定めた。
【発明の効果】
【０００６】
本発明に係るキー形セレクタースイッチによれば、ローターケースの溝に抜け止め板を装着することが不要となるので、部品点数の減少、組み立て工程も減少することでコストの低減化を図ることができるキー形セレクタースイッチを提供することができる。
【図面の簡単な説明】
【０００７】
【図１】本発明に係るキー形セレクタースイッチを接続した接点ユニットを示す斜視図である。
【図２】本発明に係るキー形セレクタースイッチの構成を示す分解斜視図である。
【図３】本発明に係るキー形セレクタースイッチの軸方向断面図である。
【図４】図３のＡ−Ａ線矢視図である。
【図５】本発明に係るキー形セレクタースイッチを構成するローターケースを軸方向から示した図である。
【図６】本発明に係るキー形セレクタースイッチを構成するキー及びロータを示す概略図である。
【図７】本発明に係るキー形セレクタースイッチが設定する複数種類の抜け位置を示す図である。
【図８】図７（ａ）で示す抜け位置を左に設定した場合の具体的な構成を示す図である。
【図９】図７（ｃ）で示す抜け位置を左、中央、右に設定した場合の具体的な構成を示す図である。
【発明を実施するための形態】
【０００８】
次に、図面を参照して、本発明の第１実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す第１実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【０００９】
［キー形セレクタースイッチに連結する接点ユニット］
図１は、本発明に係る第１実施形態のキー形セレクタースイッチ１を示すものであり、連結ユニット２を介して接点ユニット３に接続され、キー形セレクタースイッチ１のキー操作により接点ユニット３の開閉状態が切り替えられる。
【００１０】
［キー形セレクタースイッチの構造］
キー形セレクタースイッチ１は、図２及び図３に示すように、連結ユニット２に結合される機構部ユニット４と、機構部ユニット４にローゼット５を介して固定される円筒形状のカバー６と、カバー６の内部に周方向の向きが設定されて固定される円筒形状のローターケース７と、ローターケース７の内部に軸回りに回動自在に収納されて機構部ユニット４に連結する円柱形状のローター８と、を備えている。
ローター８は、キー９が差し込まれるキー挿入穴１０が軸方向に形成されているとともに、キー挿入穴１０に直交する直径方向に延在し、互いに軸方向に平行に並んで複数のタンブラー穴１１ａ〜１１ｃが形成されている。そして、タンブラー穴１１ａ〜１１ｃの各々に、板状の第１〜第３タンブラー１２〜１４が一枚ずつローター８の直径方向に摺動自在に挿入されている。
【００１１】
図４に示すように、第１タンブラー１２の板面には、キー９の最大幅（山の頂部）より僅かに大きなキー通し穴１２ａが形成されている。このタンブラー１２は、ローター８に内蔵した付勢バネ１５に直径方向に付勢され、キー挿入穴１０にキー９を差し込んだ際に、キー通し穴１２ａを通過したキー９の谷の一部がキー通し穴１２ａの内周面の一部が押圧されるようになっている。
そして、第１タンブラー１２の移動方向（ローター８の直径方向）の一端には、板幅方向を広く設定した幅広突出部１６が形成されており、移動方向の他端には、幅広突出部１６より板幅が狭い幅狭突出部１７が形成されている。
【００１２】
第２タンブラー１３も、第１タンブラー１２と同様に、キー９の最大幅より僅かに大きなキー通し穴（不図示）が板面に形成されているとともに、ローター８に内蔵した付勢バネ（不図示）に直径方向に付勢され、キー挿入穴１０にキー９を差し込んだ際に、キー９の谷部の一部に向けてキー通過穴の内周面の一部が押圧されるようになっている。そして、この第２タンブラー１３の移動方向の両端にも、タンブラー１２と同様に、幅広突出部１６及び幅狭突出部１７が形成されている。
さらに、第３タンブラー１４も、キー通し穴（不図示）が板面に形成されているとともに、ローター８に内蔵した付勢バネ（不図示）に直径方向に付勢され、キー挿入穴１０にキー９を差し込んだ際に、キー９の先端側の最大幅にキー通過穴が入り込む。そして、この第３タンブラー１４の移動方向の両端にも、第１及び第２タンブラー１２，１３と同様に、幅広突出部１６及び幅狭突出部１７が形成されている。
【００１３】
ローターケース７の内周面には、図５に示すように、第１〜第４の幅広逃げ溝１８〜２１及び第１，第２幅狭逃げ溝２２，２３が形成されている。
第１〜第３幅広逃げ溝１８〜２０は、ローターケース７の内周面に４５°のピッチ間隔で形成されており、第１タンブラー１２の幅広突出部１６の幅寸法より大きな溝幅に設定され、第１タンブラー１２の板厚より大きな軸方向の溝厚に設定された溝であり、第１〜第３タンブラー１２〜１４の幅広突出部１６、或いは幅狭突出部１７のどちらも進入することが可能な溝である。
【００１４】
第４幅広逃げ溝２１は、第１幅広逃げ溝１８から１８０°のピッチ間隔で形成されており、第１〜第３幅広逃げ溝１８〜２０同一の形状であって、第１〜第３タンブラー１２〜１４の幅広突出部１６、或いは幅狭突出部１７のどちらも進入することが可能な大きさの溝である。
また、第１，第２幅狭逃げ溝２２，２３は、第４幅広逃げ溝２１から４５°のピッチ間隔で形成されており、第１タンブラー１２の幅狭突出部１７の幅寸法より大きな溝幅に設定されているが、第１タンブラー１２の幅広突出部１６の幅寸法より小さな溝幅であり、第１タンブラー１２の板厚より大きな軸方向の溝厚に設定された溝である。
【００１５】
したがって、第１，第２幅狭逃げ溝２２，２３は、第１〜第３タンブラー１２〜１４の幅狭突出部１７が進入することは可能であるが、幅広突出部１６は進入することができない溝である。
これにより、第１幅広逃げ溝１８及び第４幅広逃げ溝２１が同一直径方向で対向しており、第２幅広逃げ溝１９及び第１幅狭逃げ溝２２も同一直径方向で対向しており、第３幅広逃げ溝２０及び第２幅狭逃げ溝２３も同一直径方向で対向している。
そして、ローターケース７の外周面には、４５°のピッチ間隔で８箇所の固定用凹部２４が形成されている。
ここで、第１〜第４の幅広逃げ溝１８〜２１及び第２幅狭逃げ溝２３の軸方向一端は開口しているが、軸方向他端には溝壁１８ａ，１９ａ，２０ａ，２１ａ，２３ａが形成されている。
【００１６】
また、第１幅狭逃げ溝２２は軸方向の両端が開口しており、ローターケース７を軸方向から見たときに、溝壁がない第１幅狭逃げ溝２２が他の溝と区別できるようになっている。そして、ローターケース７をカバー６に固定する際に、第１幅狭逃げ溝２２を基準位置としてローターケース７の周方向の向きを決定するようにしている。
また、図４に示すように、カバー６の内周面には、９０°のピッチ間隔で４箇所の固定用凸部２５ａ〜２５ｄが形成されており、これら固定用凸部２５ａ〜２５ｄがローターケース７の８箇所の固定用凹部２４の何れかに嵌まり込むことで、ローターケース７が周方向の位置が設定されてカバー６に固定される。
【００１７】
［キー形セレクタースイッチの抜け位置設定について］
第１実施形態の接点ユニット３は、１組或いは複数組のａ接点又はｂ接点を適宜に組合せた３ノッチ構成の装置である。この接点ユニット３に連結ユニット２を介して接続しているキー形セレクタースイッチ１は、図６に示すように、中央位置でローター８のキー挿入穴１０に差し込んだキー９を左位置、或いは右方向に４５°捻回すると、それに対応したａ接点、或いはｂ接点に接点ユニット３が切り換わるとともに、キー９を中央位置に戻すと、接点ユニット３がリセット位置に復帰する。
第１実施形態のキー形セレクタースイッチ１は、図７に示すように、７種類の抜け位置を設定できる。
【００１８】
抜け位置とは、ローター８の第１〜第３タンブラー１２〜１４の幅広突出部１６及び幅狭突出部１７が、第１〜第４の幅広逃げ溝１８〜２１、第１，第２幅狭逃げ溝２２，２３の何れかに進入し、第１〜第３タンブラー１２〜１４が移動することでキー９がローター８のキー挿入穴１０から外せる位置、或いはキー９を差し込むことができる位置（抜き差し自由位置）のことであり、第１実施形態のキー形セレクタースイッチ１は、左位置、中央位置、右位置のうち少なくとも一つの位置を設定することができる。
したがって、本願発明においてキーが外せる位置と記載しているのが、図７の左位置、中央位置、右位置の少なくとも一つの抜け位置であり、本願発明においてキーが外せない位置と記載しているのが、図７において抜け位置以外の左位置、中央位置、或いは右位置の何れかである。なお、図７（ｃ）では、キーが外せない位置が存在しない。
【００１９】
［キー形セレクタースイッチの抜け位置の第１の種類］
図７（ａ）は、キー９が外せる位置を左位置としたキー形セレクタースイッチ１である。このキー形セレクタースイッチ１は、基準位置とする第１幅狭逃げ溝２２がカバー６の最上部の固定用凸部２５ａ側に位置するように、カバー６にローターケース７が固定されている。
図７（ａ）の種類のキー形セレクタースイッチ１において、キー９を左方向に４５°捻回してローター８が回転すると、図８の左位置で示すように、第１〜第３タンブラー１２〜１４の幅広突出部１６がローターケース７の第４幅広逃げ溝２１に対向し、第１〜第３タンブラー１２〜１４の幅狭突出部１７がローターケース７の第１幅広逃げ溝１８に対向するので、キー９の抜き動作を行うと、幅広突出部１６が第４幅広逃げ溝２１に進入し、幅狭突出部１７が第１幅広逃げ溝１８に進入して第１〜第３タンブラー１２〜１４がタンブラー穴１１ａ〜１１ｃ内を移動することで、キー９が第１〜第３タンブラー１２〜１４のキー通し穴１２ａから抜け、ローター８のキー挿入穴１０からキー９を外すことができる。
【００２０】
また、キー９を左位置から右に４５°捻回して中央位置にすると、図８の中央位置で示すように、第１〜第３タンブラー１２〜１４の幅広突出部１６がローターケース７の第１幅狭逃げ溝２２に対向し、第１〜第３タンブラー１２〜１４の幅狭突出部１７がローターケース７の第２幅広逃げ溝１９に対向する。キー９の抜き動作を行うと、第１〜第３タンブラー１２〜１４の幅広突出部１６がローターケース７の第１幅狭逃げ溝２２に進入できないので、第１〜第３タンブラー１２〜１４がタンブラー穴１１ａ〜１１ｃ内を移動することができず、キー９が第１〜第３タンブラー１２〜１４のキー通し穴１２ａから抜けない。したがって、中央位置ではローター８のキー挿入穴１０からキー９を外せない。
【００２１】
また、キー９を中央位置から右に４５°捻回して右位置にすると、図８の右位置で示すように、第１〜第３タンブラー１２〜１４の幅広突出部１６がローターケース７の第２幅狭逃げ溝２３に対向し、第１〜第３タンブラー１２〜１４の幅狭突出部１７がローターケース７の第３幅広逃げ溝２０に対向する。キー９の抜き動作を行うと、第１〜第３タンブラー１２〜１４の幅広突出部１６がローターケース７の第２幅狭逃げ溝２３に進入できないので、第１〜第３タンブラー１２〜１４がタンブラー穴１１ａ〜１１ｃ内を移動することができず、キー９が第１〜第３タンブラー１２〜１４のキー通し穴１２ａから抜けない。したがって、右位置でもローター８のキー挿入穴１０からキー９を外せない。
【００２２】
［キー形セレクタースイッチの抜け位置の第２の種類］
また、図７（ｃ）は、キー９が外せる位置を、左位置、中央位置、右位置としたキー形セレクタースイッチ１である。このキー形セレクタースイッチ１は、基準位置とする第１幅狭逃げ溝２２がカバー６の最下部の固定用凸部２５ｃ側に位置するように、カバー６にローターケース７が固定されている。
図７（ｃ）の種類のキー形セレクタースイッチ１の中央位置では、図９の中央位置で示すように、第１〜第３タンブラー１２〜１４の幅広突出部１６がローターケース７の第２幅広逃げ溝１９に対向し、第１〜第３タンブラー１２〜１４の幅狭突出部１７がローターケース７の第１幅狭逃げ溝２２に対向するので、キー９の抜き動作を行うと、幅広突出部１６が第２幅広逃げ溝１９に進入し、幅狭突出部１７が第１幅狭逃げ溝２２に進入して第１〜第３タンブラー１２〜１４がタンブラー穴１１ａ〜１１ｃ内を移動することで、キー９が第１〜第３タンブラー１２〜１４のキー通し穴１２ａから抜け、ローター８のキー挿入穴１０からキー９を外すことができる。
【００２３】
また、キー９を中央位置から左に４５°捻回して左位置にすると、図９の左位置で示すように、第１〜第３タンブラー１２〜１４の幅広突出部１６がローターケース７の第１幅広逃げ溝１８に対向し、第１〜第３タンブラー１２〜１４の幅狭突出部１７がローターケース７の第４幅広逃げ溝２１に対向するので、キー９の抜き動作を行うと、幅広突出部１６が第１幅広逃げ溝１８に進入し、幅狭突出部１７が第４幅広逃げ溝２１に進入して第１〜第３タンブラー１２〜１４がタンブラー穴１１ａ〜１１ｃ内を移動することで、キー９が第１〜第３タンブラー１２〜１４のキー通し穴１２ａから抜け、ローター８のキー挿入穴１０からキー９を外すことができる。
【００２４】
また、キー９を中央位置から右に４５°捻回して右位置にすると、図９の右位置で示すように、第１〜第３タンブラー１２〜１４の幅広突出部１６がローターケース７の第３幅広逃げ溝２０に対向し、第１〜第３タンブラー１２〜１４の幅狭突出部１７がローターケース７の第２幅狭逃げ溝２３に対向するので、キー９の抜き動作を行うと、幅広突出部１６が第３幅広逃げ溝２０に進入し、幅狭突出部１７第２幅狭逃げ溝２３に進入して第１〜第３タンブラー１２〜１４がタンブラー穴１１ａ〜１１ｃ内を移動することで、キー９が第１〜第３タンブラー１２〜１４のキー通し穴１２ａから抜け、ローター８のキー挿入穴１０からキー９を外すことができる。
【００２５】
このように、第１実施形態のキー形セレクタースイッチ１は、基準位置である第１幅狭逃げ溝２２の周方向を所定位置に設定したローターケース７をカバー６に固定することで、図７（ａ）〜（ｇ）の７種類の抜け位置に設定することができる。
また、第１実施形態のキー形セレクタースイッチ１は、キー９の全ての抜け位置では、第１〜第３タンブラー１２〜１４の全てが、ローターケース７の第１〜第４の幅広逃げ溝１８〜２１及び第１，第２幅狭逃げ溝２２，２３の何れかに入り込んだ状態となる。
【００２６】
［第１実施形態のキー形セレクタースイッチの効果について］
第１実施形態のキー形セレクタースイッチ１は、ローター８のキー挿入穴１０からキー９が外せる位置では、第１〜第３タンブラー１２〜１４の幅広突出部１６が第１〜第４の幅広逃げ溝１８〜２１の何れかに対向し、第１〜第３タンブラー１２〜１４の幅狭突出部１７が第１〜第４の幅広逃げ溝１８〜２１及び第１，第２幅狭逃げ溝２２，２３の何れかに対向するようにして第１〜第３タンブラー１２〜１４の移動を許容し、キー挿入穴１０からキー９が外せない位置では、第１〜第３タンブラー１２〜１４の幅広突出部１６が第１，第２幅狭逃げ溝２２，２３、或いは、第１〜第３タンブラー１２〜１４の幅広突出部１６，幅狭突出部１７が１〜第４の幅広逃げ溝１８〜２１及び第１，第２幅狭逃げ溝２２，２３が形成されてないローターケース７の内周面に対向する構造として第１〜第３タンブラー１２〜１４の移動を規制しており、従来の装置のようにローターケースに形成した溝に抜け止め板を装着する作業が不要となるので、部品点数の減少、組み立て工程も減少することでコストの低減化を図ることができる。
【００２７】
また、第１実施形態のキー形セレクタースイッチ１は、キー９の抜け位置では第１〜第３タンブラー１２〜１４の全てがローターケース７の第１〜第４の幅広逃げ溝１８〜２１及び第１，第２幅狭逃げ溝２２，２３の何れかに入り込んだ状態となるので、ローター８のキー挿入穴１０にキー９の先端が位置している状態でローター８を捻回することはできない。
なお、第１実施形態の接点ユニット３は、中央位置から左右方向に４５°捻回動作を行う３ノッチ構成の装置として説明したが、９０°の捻回動作を行う２ノッチ構成の接点ユニットを使用する場合には、第１実施形態のキー形セレクタースイッチ１は、図７の（ａ）の構成とすることで左の抜け位置、図７の（ｂ）の構成とすることで左右の抜け位置、図７の（ｄ）の構成とすることで右の抜け位置とすることができる。
【符号の説明】
【００２８】
１  キー形セレクタースイッチ
２  連結ユニット
３  接点ユニット
４  機構部ユニット４
５  ローゼット
６  カバー
７  ローターケース
８  ローター
９  キー
１０  キー挿入穴
１１ａ〜１１ｃ  タンブラー穴
１２〜１４  第１〜第３タンブラー
１２ａ  キー通し穴
１５  付勢バネ
１６  幅広突出部
１７  幅狭突出部
１８〜２１  第１〜第４の幅広逃げ溝
２２，２３  第１，第２幅狭逃げ溝
２４  固定用凹部
２５ａ〜２５ｄ  固定用凸部
【図１】
2018041641.tif 000003
【図２】
2018041641.tif 000004
【図３】
2018041641.tif 000005
【図４】
2018041641.tif 000006
【図５】
2018041641.tif 000007
【図６】
2018041641.tif 000008
【図７】
2018041641.tif 000009
【図８】
2018041641.tif 000010
【図９】
2018041641.tif 000011